(57)【要約】【課題】鍋に柄が取り付けられた加熱用調理器具の収納性を改善する。【解決手段】親子丼やカツ丼などを作るときに用いる親子鍋１であって、アルミニウム合金等の金属によって形成された鍋２と、この鍋２に取付部材４を介して回動可能に取り付けられた柄３とを備えており、柄３は、その先端側を鍋２側に折り畳むことができるようになっている。取付部材４は、鍋２の外周面に取り付けられた固定部材１０と、一端側に柄３が装着され、他端側が固定部材１０に回動可能に支持される回動部材２０とを備えており、保持手段によって、鍋２側に折り畳んだ収納時位置及びその収納時位置から起こした使用時位置にそれぞれ保持することができるようになっている。【選択図】        図１
0003208780.tif 000002
【実用新案登録請求の範囲】
【請求項１】
食物を投入する鍋に柄を取り付けた加熱用調理器具であって、
前記柄は、その先端側を前記鍋側に折り畳み可能に前記鍋に取り付けられており、
前記柄を、前記鍋側に折り畳んだ収納時位置及びその収納時位置から起こした使用時位置にそれぞれ保持する保持手段を備えている加熱用調理器具。
【請求項２】
前記柄は、異なる複数の使用時位置を有し、
前記保持手段は、各使用時位置に前記柄を保持可能に構成されている請求項１に記載の加熱用調理器具。
【考案の詳細な説明】
【技術分野】
【０００１】
この考案は、食物を煮たり、焼いたり、炒めたりするための鍋やフライパン等の加熱用調理器具に関する。
【背景技術】
【０００２】
この種の加熱用調理器具としては、例えば、図８に示すように、親子丼やカツ丼などを作るときに用いる親子鍋５０があり、この親子鍋５０は、一人前を煮て作り、どんぶり飯の上にそのままかけて盛りつけることができるように、底が浅くて平たい鍋５１に柄５２が縦に取り付けられているのが一般的である。
【０００３】
また、底が浅くて平たい鍋に柄を取り付けた加熱用調理器具としては、図９に示すようなフライパン６０が一般的に知られており、フライパンは、親子鍋とは異なり、鍋６１に対して柄６２が横に取り付けられている。
【先行技術文献】
【特許文献】
【０００４】
【特許文献１】実用新案登録第３１０５３２７号公報
【特許文献２】特開２００３−１５３８１１号公報
【特許文献３】特開２００５−０１３３９８号公報
【考案の概要】
【考案が解決しようとする課題】
【０００５】
柄５２が縦に取り付けられた親子鍋５０も、柄６２が横に取り付けられたフライパン６０も、柄５２、６２が鍋５１、６１に固定されているため、鍋５１、６１から張り出した柄５２、６２が邪魔になり、キッチンキャビネット等に効率よく収納することができないといった問題がある。
【０００６】
そこで、この考案の課題は、鍋に柄が取り付けられた加熱用調理器具の収納性を改善することにある。
【課題を解決するための手段】
【０００７】
上記の課題を解決するため、請求項１に係る考案は、食物を投入する鍋に柄を取り付けた加熱用調理器具であって、前記柄は、その先端側を前記鍋側に折り畳み可能に前記鍋に取り付けられており、前記柄を、前記鍋側に折り畳んだ収納時位置及びその収納時位置から起こした使用時位置にそれぞれ保持する保持手段を備えている加熱用調理器具を提供するものである。
【０００８】
また、請求項２に係る考案は、請求項１に係る考案の加熱用調理器具において、前記柄が、異なる複数の使用時位置を有し、前記保持手段は、各使用時位置に前記柄を保持可能に構成されていることを特徴としている。
【考案の効果】
【０００９】
以上のように、請求項１に係る考案の加熱用調理器具は、柄の先端側を鍋側に折り畳み可能に鍋に柄が取り付けられており、柄を鍋側に折り畳んだ収納時位置及びその収納時位置から柄を起こした使用時位置にそれぞれ保持する保持手段を備えているので、保持手段によって柄を使用時位置に保持した状態で調理に使用し、収納時には、柄を収納時位置に折り畳んで保持手段により保持すれば、柄が鍋から大きく張り出すことがなく、嵩張らないので、収納性が向上する。
【００１０】
特に、請求項２に係る発明の加熱用調理器具は、柄が、異なる複数の使用時位置を有しており、保持手段によって各使用時位置に柄を保持することができるので、使用者が使い易い使用時位置に柄を保持することができると共に、例えば、底が浅くて平たい鍋の場合、柄を立てた状態に保持すれば親子鍋として使用することができ、柄を横にした状態で保持すればフライパンとして使用することができるといった具合に、１つの加熱用調理器具を複数の加熱用調理器具として使用することが可能となる。
【図面の簡単な説明】
【００１１】
【図１】この考案に係る加熱用調理器具の一実施形態である親子鍋を示す斜視図である。
【図２】同上の親子鍋を示す分解斜視図である。
【図３】（ａ）は同上の加熱用調理器具における柄のロック状態を示す部分断面図、（ｂ）は同上の加熱用調理器具における柄のロック解除状態を示す部分断面図である。
【図４】同上の親子鍋における柄を使用時位置にロックした状態を示す断面図である。
【図５】同上の親子鍋における柄を他の使用時位置にロックした状態を示す断面図である。
【図６】同上の親子鍋における柄を他の使用時位置にロックした状態を示す断面図である。
【図７】同上の親子鍋における柄を収納時位置にロックした状態を示す断面図である。
【図８】一般的な親子鍋を示す斜視図である。
【図９】一般的なフライパンを示す斜視図である。
【考案を実施するための形態】
【００１２】
以下、実施の形態について図面を参照して説明する。図１は、この考案に係る加熱用調理器具の一実施形態である親子鍋１を示している。この親子鍋１は、同図に示すように、アルミニウム合金等の金属によって形成された鍋２と、この鍋２に取付部材４を介して回動可能に取り付けられた柄３とを備えており、鍋２の内面にはフッ素樹脂加工が施されている。
【００１３】
前記取付部材４は、図２に示すように、鍋２の外周面に取り付けられた固定部材１０と、一端側に柄３が装着され、他端側が固定部材１０に回動可能に支持される回動部材２０とを備えており、後述する保持手段によって、回動部材２０を所定の回動位置に保持することができるようになっている。
【００１４】
前記固定部材１０は、鍋２の外周面にリベット止めされる取付部１１と、この取付部１１に連設された、回動部材２０を回動可能に支持する回動支持部１２と、この回動支持部１２に対向するように所定間隔を開けた状態で配置された、後述するロック部材２５が回り止めされた状態で嵌入する環状の嵌入部１３とを備えており、回動支持部１２には、ねじ孔１２ａが形成されている。
【００１５】
前記回動部材２０は、一端側に柄３の基端部が嵌着される柄取付部２１と、この柄取付部２１に連設され、固定部材１０の回動支持部１２と嵌入部１３との間に挿入された状態で回動支持部１２に回動可能に支持される円筒状の回動被支持部２２と、柄取付部２１と回動被支持部２２との境界部分に形成された、固定部材１０に当接することで回動範囲を規制するストッパとしての突起２８とを備えており、柄３は、その軸芯に形成されたねじ挿通孔に挿通された長ねじ３ａを介して回動部材２０の柄取付部２１にねじ止めされている。
【００１６】
前記回動被支持部２２は、嵌入部１３側の端部が完全に開放されていると共に、回動支持部１２側の端部にねじ挿通孔を有する端壁が形成されており、そのねじ挿通孔に挿通したねじ２３を回動支持部１２のねじ孔１２ａにねじ込むことで、回動支持部１２に回動可能に支持されている。
【００１７】
前記回動被支持部２２には、コイルバネ２４を介して、固定部材１０の嵌入部１３に嵌入した状態のロック部材２５が嵌り込むようになっており、回動被支持部２２の開放端側の内周面には、径方向内側に突出する６つの係止突起２２ａが等角度で形成されている。
【００１８】
前記ロック部材２５は、固定部材１０の嵌入部１３に嵌入することで回り止めされる回止部２６と、この回止部２６に連設された、回動被支持部２２に嵌り込む円筒状の嵌合部２７とを有しており、嵌合部２７の先端側の外周面には、径方向外側に突出する６つの係止突起２７ａが等角度で形成されている。
【００１９】
前記ロック部材２５は、嵌合部２７を、コイルバネ２４を介して、回動被支持部２２に嵌合させた状態で、回止部２６に形成されたねじ挿通孔及び回動被支持部２２のねじ挿通孔にねじ２３を挿通して回動支持部１２のねじ孔１２ａにねじ込むことで、嵌合部２７を押し込み可能に回動被支持部２２に保持されている。
【００２０】
前記保持手段は、回動被支持部２２に形成された係止突起２２ａと、ロック部材２５の嵌合部２７に形成された係止突起２７ａと、ロック部材２５を外側に付勢するコイルバネ２４とから構成されており、図３（ａ）に示すように、ロック部材２５は、常時、コイルバネ２４の付勢力によって外側に所定量だけ押し出された状態となっているので、回動被支持部２２の開放端側の内周面に形成された係止突起２２ａと、回止部２６が固定部材１０の嵌入部１３に嵌入することによって回り止めされたロック部材２５の嵌合部２７の先端側の外周面に形成された係止突起２７ａとが回動部材２０の回動軸方向に一致し、回動被支持部２２の係止突起２２ａが、固定部材１０に回り止めされたロック部材２５の係止突起２７ａに係止されることによって回動部材２０の回動が阻止され、柄３がその角度位置に保持されることになる。
【００２１】
一方、図３（ｂ）に示すように、コイルバネ２４の付勢力に抗してロック部材２５を回動被支持部２２側に押し込むと、回動被支持部２２の係止突起２２ａと、固定部材１０に回り止めされたロック部材２５の係止突起２７ａとが、回動部材２０の回動軸方向に位置ずれし、これに伴って、ロック部材２５の係止突起２７ａに対する回動被支持部２２の係止突起２２ａの係止が解除されるので、所定範囲で柄３を自由に回動させることができる。従って、ロック部材２５を回動被支持部２２内に押し込んだ状態で柄３を適宜回動させると、係止突起２７ａに対する係止突起２２ａの係止位置においてロック部材２５の押し込み状態が解除され、その回動位置に回動部材２０が保持されるので、柄３の回動角度を段階的に変更することができる。
【００２２】
この親子鍋１では、図４に示すように、柄３が鍋２の外側に大きく倒れ込んだ状態、図５に示すように、柄３が鍋２の外側に傾斜して立ち上がった状態、図６に示すように、柄３が鍋２の内側に傾斜して立ち上がった状態の３つの使用時位置と、図７に示すように、柄３を鍋２側に折り畳んだ収納時位置に、柄３をそれぞれ保持することができるようになっており、使用者が使い易い使用時位置に柄３を保持することができると共に、図５及び図６に示すように、柄３を立てた状態に保持すれば親子鍋として使用することができ、図４に示すように、柄３を横にした状態で保持すればフライパンとして使用することができる。なお、この親子鍋１では、回動部材２０に設けられた突起２８が固定部材１０に当接することで、柄３を、図４に示す状態からさらに反時計回りに回動させることができないようになっている。
【００２３】
なお、上述した実施形態では、柄３を３箇所の使用時位置に保持することができるようになっているが、これに限定されるものではなく、保持可能な柄の使用時位置は１箇所であっても良く、２箇所または４箇所以上であってもよい。
【００２４】
また、上述した実施形態では、親子鍋について説明したが、本考案の加熱用調理器具は、親子鍋に限定されるものではなく、種々の片手鍋やフライパン等に適用することができることはいうまでもない。
【産業上の利用可能性】
【００２５】
本考案は、食物を煮たり、焼いたり、炒めたりするための鍋やフライパン等の加熱用調理器具に使用することができる。
【符号の説明】
【００２６】
１  親子鍋
２  鍋
３  柄
３ａ  長ねじ
４  取付部材
１０  固定部材
１１  取付部
１２  回動支持部
１２ａ  ねじ孔
１３  嵌入部
２０  回動部材
２１  柄取付部
２２  回動被支持部
２２ａ  係止突起
２３  ねじ
２４  コイルバネ
２５  ロック部材
２６  回止部
２７  嵌合部
２７ａ  係止突起
２８  突起
【図１】
0003208780.tif 000003
【図２】
0003208780.tif 000004
【図３】
0003208780.tif 000005
【図４】
0003208780.tif 000006
【図５】
0003208780.tif 000007
【図６】
0003208780.tif 000008
【図７】
0003208780.tif 000009
【図８】
0003208780.tif 000010
【図９】
0003208780.tif 000011